(57)【特許請求の範囲】
【請求項１】
支持体（２）、自動車のボディ部品と、プレートエレメント、ドア又は壁の外装との間の連結ユニットであって、連結エレメント（１）が、前記プレートエレメントに取り付けることができる上部分（３）と、前記支持体（２）に連結できる下部分（４）を含み、これによって、係止エレメント（１０）が設けられたネック状中間区域（５）が、前記上部分（３）と前記下部分（４）との間に設けられており、前記中間区域が、支持開口部（７）に嵌められた接触部品(１２)内に挿入される、連結ユニットにおいて、
前記中間区域（５）は、前記支持体（２）上方で、ケーシング部品（１５）によって取り囲まれており、このケーシング部品は、前記係止エレメント（１０）及び前記接触部品（１２）と係止可能であり、前記支持体（２）の表面上に作用するシーリングエレメント（２０）が前記ケーシング部品（１５）と前記接触部品（１２）との間に配置されている、ことを特徴とする連結ユニット。
【請求項２】
前記ケーシング部品（１５）は、前記中間区域（５）の前記係止エレメント（１０）用のカウンタストッパ（１８）を内側に備えたジャケット領域（１７）を有する、ことを特徴とする請求項１に記載の連結ユニット。
【請求項３】
前記ケーシング部品（１５）は、前記ジャケット領域（１７）の下方にフランジ（２２）を有し、このフランジは、前記シーリングエレメント（２０）を少なくとも部分的に覆う、ことを特徴とする請求項３に記載の連結ユニット。
【請求項４】
前記接触部品（１２）には、少なくとも二つの弾性の停止脚部（３０）が設けられており、これらの脚部は、取り付け状態において、前記ケーシング部品（１５）の前記フランジ（２２）の開口部（２４）を通って延びており、この開口部の裏側に係止される、ことを特徴とする請求項１又は３に記載の連結ユニット。
【請求項５】
前記弾性の停止脚部（３０）は、互いに向かって対角線上に配置されている、ことを特徴とする請求項４に記載の連結ユニット。
【請求項６】
前記接触部品（１２）は、ディスク領域（３５）を有し、このディスク領域は、外側が前記脚部（３０）に連結されており、内側が支持開口部（７）を通って延びるケーシング領域（３６）に続いている、ことを特徴とする請求項４又は５に記載の連結ユニット。
【請求項７】
前記接触部品（１２）の前記ケーシング領域（３６）は、少なくとも、前記中間区域（５）の一部の長さを有し、前記中間区域に係止できる、ことを特徴とする請求項６に記載の連結ユニット。
【請求項８】
前記ケーシング領域（３６）は、幾つかの弾性の接触タング（３８）を有し、これらのタングの内側は、中間区域（５）のカウンタストッパ（４０、４０' ）に食い込むことができ、前記カウンタストッパは、互いの後方所定距離のところに位置決めされている、ことを特徴とする請求項７に記載の連結ユニット。
【請求項９】
前記ケーシング領域（３６）の接触タング（３８）は、円錐形をなしてテーパした形状を有する、ことを特徴とする請求項８に記載の連結ユニット。
【請求項１０】
前記停止脚部（３０）は、前記シーリングエレメント（２０）の開口部（２１）を通って延びており、前記シーリングエレメント（２０）の周囲膨出部（２７）は、前記フランジ（２２）の凸状の末端縁部（３２）と夫々の停止脚部（３０）の外側との間にクランプされている、ことを特徴とする請求項１乃至９のうちのいずれか一項に記載の連結ユニット。
【請求項１１】
前記シーリングエレメント（２０）の外側には、前記支持体（２）に作用するシーリングリップ（２８）が設けられ、内側には、前記フランジ（２２）の下側と前記ディスク領域（３５）の表面との間にクランプされるシーリングプレート（４２）が設けられている、ことを特徴とする請求項１０に記載の連結ユニット。
【請求項１２】
前記シーリングプレート（４２）は、表面が端部リング（４５）に続いており、この端部リングの外径は、前記ケーシング領域（１７）の内壁（４７）に合わせて調節される、ことを特徴とする請求項１乃至１１のうちのいずれか一項に記載の連結ユニット。
【請求項１３】
前記端部リング（４５）は、前記中間区域（５）が通って延びている漏斗状の開口部（４９）を有する、ことを特徴とする請求項１２に記載の連結ユニット。
【請求項１４】
前記係止エレメント（１０）は、前記中間区域（５）の突出部（１４）のところに配置される、ことを特徴とする請求項１乃至１３のうちのいずれか一項に記載の連結ユニット。
【請求項１５】
前記ケーシング部品（１５）の前記ジャケット領域（１７）には、幾つかの外部リブ（１９）が設けられている、ことを特徴とする請求項２又は３に記載の連結ユニット。
【請求項１６】
前記シーリングエレメント（２０）の前記端部リング（４５）の表面上に少なくとも一つのリブ（５０）が設けられている、ことを特徴とする請求項１２に記載の連結ユニット。
【発明の詳細な説明】
【０００１】
【発明の属する技術分野】
本発明は、支持体、特に自動車のボディ部品と、プレートエレメント、特にドア又は壁の外装との間の連結ユニットに関し、このユニットの上部分はプレートエレメントに取り付けることができ、下部分は支持体に連結でき、これによって、係止エレメントを備えたネック状中間区域を上部分と下部分との間に形成する。前記中間区域は、嵌込み固定可能な接触部品の支持開口部に貫入する。
【０００２】
【従来の技術】
当該技術分野において、連結エレメント（欧州特許第０  ７２６  ４０１  Ａ１号参照）が周知である。この連結エレメントでは、弾性率が異なる２枚のフランジが周囲弾性シーリングリップの上方に配置されている。これらの２枚のフランジは、上部品の接触領域のポケットに横方向に挿入でき、下シーリングリップは、取り付け位置において支持体の上領域に作用を及ぼし、これによってほぼぴったりとした連結を行う。
【０００３】
当該技術分野の別のエレメントは、プレートエレメントに取り付けることができる上部品、中間部品、及び保持エレメントを持つエレメントである（ドイツ国特許第４  ０１４  ５８９  Ｃ１号参照）。この構造のため、特に自動車産業で必要とされる許容差の補償は、支持体と平行に延びる平面内でしか行うことができない。
【０００４】
当該技術分野において、本発明の基となった連結体が提案されている（ドイツ国特許出願第１９７  ５３  ６７８．６号参照）。この連結体では、係止エレメントを備えたネック状中間区域が上部品と下部品との間に設けられている。中間区域は、支持開口部に嵌込み固定可能な接触部品に貫入する。
【０００５】
【発明が解決しようとする課題】
本発明の目的は、支持体への挿入に関して予備取り付けを簡単に行うことができ、これによって、設置完了後に密封効果が確実に改善されるように上述の連結ユニットを改良することである。
【０００６】
【課題を解決するための手段】
本発明によれば、支持体の上方の中間区域を、係止エレメント及び接触部品と係止できるケーシング構成要素によって取り囲み、前記支持体の表面に作用を及ぼすシーリングエレメントをケーシング構成要素と接触部品との間に配置することによって上記目的が達成される。追加のケーシング構成要素を使用することにより、予備取り付けを行うことができ、これにより、更に、ケーシング構成要素とシーリングエレメントとの相互作用により、連結ユニット全体の密封効果を簡単な方法で大幅に改善できる。
【０００７】
ケーシング構成要素は、中間区域の係止エレメント用のカウンタストッパを内側に備えたジャケット構成要素を有する。更に、ケーシング構成要素は、シーリングエレメントを少なくとも部分的に覆うフランジをケーシングゾーンの下に備えていてもよい。その結果、設置完了後にシーリングエレメントに何らかの機械的作用が加わることがないようにする。
【０００８】
本発明の別の特徴によれば、少なくとも二つの弾性の係止脚部を接触部品に設けることができる。これらの脚部は、取り付け状態では、フランジの開口部を通って延び、フランジの裏側に係止する。好ましくは、互いに向き合って斜め方向に配置された四つの弾性係止エレメントが使用される。これらの弾性係止エレメントにより、接触部品とケーシング構成要素との間で優れたしっかりとした連結がなされる。
【０００９】
本発明の更に別の特徴では、接触部品は、外側に脚部が連結されており且つ内側が支持開口部を通って延びるケーシング領域に続くディスク領域を有する。この形体では、ケーシング領域の長さは、中間区域よりも短く、これに係止できる。係止は、幾つかの弾性の接触タングによって行われ、これらのタングは、中間区域に設けられた互いに間隔が隔てられたカウンタストッパに嵌まり込むことができる。設置を容易にするため、ケーシング領域の接触タングは、円錐形をなしてテーパした設計を備えていてもよい。
【００１０】
ユニット全体を機能的にしっかりとした方法で接合するため、係合部品の係止脚部がシーリングエレメントの開口部を通して延びることによって、シーリングエレメントの周囲膨出部をフランジの凸状の末端縁部と夫々の係止ストリップの外側との間にクランプする。
【００１１】
本発明の別の特徴によれば、シーリングエレメントは、支持体に作用するシーリングリップを外側に有し、フランジの下側とディスク領域の表面との間でクランプされるシーリングプレートを内側に有する。前記シーリングプレートは、表面が端部リングに続いており、この端部リングの外径はケーシング領域の内壁に合わせて調節される。
【００１２】
有用な改良は、追加の従属項から明らかである。
本発明を、添付図面に示す例示の実施例に基づいて以下に詳細に説明する。
【００１３】
【発明の実施の形態】
本発明によるユニットはプラスチック製であり、四つの部品を含むということが図１のａ乃至ｄから明らかである。即ち、プレートエレメントに取り付けることができる上部分３及び支持エレメント２に連結できる下部分４を持つ連結エレメント１を有し、前記下部分４には、互いに所定距離だけ軸線方向に離間されたカウンタストッパ４０、４０' が設けられている。中間区域５は、ネック形状に設計されており、係止エレメント１０を有する。これによって、前記係止エレメント１０は中間区域５のランド部１４のところに配置される。
【００１４】
図１ｂは、ジャケット領域１７を持つカーボン部品即ちケーシング構成要素１５を示す。このジャケット領域は、図４によれば、中間区域５の係止エレメント１０のカウンタストッパ１８と内側で嵌合する。
【００１５】
ケーシング部分即ちケーシング構成要素１５は、ジャケット構成要素１７にフランジ２２を有し、このフランジは、図４によれば、シーリングエレメント２０を円弧状の端部領域３２で部分的に覆っている。ケーシング構成要素１５のジャケット領域１７には幾つかの外側リブ１９が設けられている。
【００１６】
図１ｃは、周囲膨出部２７及びこれと隣接したシーリングリップ２８を持つシーリングエレメント２０を示す。図４によれば、前記シーリングリップ２８又は周囲膨出部２７と隣接してシーリングプレート４２が設けられており、このシーリングプレートは、図１ｃによれば、端部リング４５に続いている。端部リング４５の表面上には少なくとも一つのリブ５０が配置されているのがよい。
【００１７】
端部リング４５は、中間区域５が貫入する漏斗状の開口部４９を有する。端部リング４５の外径はケーシング構成要素１５のジャケット領域１７の内壁４７に合わせてある。
【００１８】
図１ｄによれば、接触部品１２もまた使用される。この接触部品１２はディスク領域３５を有し、このディスク領域の外側には、停止機能を果たすストリップ３０が連結されている。ディスク領域の内側は、図４によれば、支持開口部７を通って延びるケーシング領域３６に続いている。接触部品１２の前記ケーシング領域３６の長さは、これもまた図４によれば、中間区域５よりも短く、中間区域に係止できる。これと対応して、図１ｄによれば、ケーシング領域３６は、スロット３９によって互いに離間された幾つかの弾性の接触タング３８を有する。これらの接触タング３８は、円錐形をなしてテーパした形状に設計されている。
【００１９】
図２によれば、４つのエレメント、即ち連結エレメント１、ケーシング構成要素１５、シーリングエレメント２０、及び接触部品１２を取り付け、支持プレート２への取り付け前の状態にすることができる。この形体では、中間区域５は、支持開口部７に嵌込み固定された接触部品１２を貫通している。
【００２０】
図３及び図４に示す本発明による連結装置の最終的な設置に先立って、図２による予備設置を行う。接触部品１２の二つの接触タング３８を中間区域５の下カウンタストッパ４０' に位置決めし、これによって、図２から明らかなように、中間区域５のストッパエレメント即ち係止要素１０は、ケーシング構成要素１５のジャケット領域１７の外側に突出している。
【００２１】
前記予備取り付け位置では、本発明による連結ユニットを支持体２の支持開口部７内に設置できる。
連結エレメント１の上部分３に圧力を矢印Ｉの方向に加えると、図３又は図４に示す位置、即ち最終設置（位置）をとる。接触タング３８は中間区域５のカウンタストッパ４０に入り込み、係止エレメント１０がケーシング構成要素１５のジャケット領域１７の対応するカウンタストッパ１８と係合する。
【００２２】
接触部品１２の停止脚部即ちストッパ３０がシーリングエレメント２０の開口部２１及びケーシング構成要素１５の開口部２４を通って延び、それらのストップノーズ部をケーシング構成要素１５のフランジ２２の表面に係止する。
【００２３】
図４から明らかなように、シーリングエレメント２０の周囲膨出部２７は、ケーシング構成要素１５のフランジ２２の凸状の端部リム３２と夫々の停止脚部３０の外側との間にクランプされる。更に、シーリングエレメント２０のシーリングリップ２８と隣接したシーリングプレート４２がフランジ２２の下側と接触部品１２のディスク領域３５の表面との間にクランプされるということが図４から明らかである。
【００２４】
シーリングエレメント２０の周囲シーリングリップ２８は支持体２に作用し、及びかくして、しっかりとしたシールを構成する。フランジ２２の凸状の端部リム３２がシーリングエレメント２０の膨出部２７を覆っている限り、優れたシーリング効果及びシーリングエレメント全体の保護が同時に行われる。
【００２５】
図１乃至図４による特定の実施例では、連結エレメント１の上部分３は、互いに軸線方向に離間された３つのディスク状エレメントを有する。図５ａ及び５ｂによれば、使用されるディスク状エレメントの数は、二つだけであってもよく、この場合、上側のエレメントは係止エレメント５５に挿入でき、下側のエレメントはシーリングユニット５６として役立つ。
【００２６】
係止エレメント５５は、例えば、プレートエレメントの部分、例えば自動車の扉又は壁の外装である。図５による係止エレメントは、上部分３内に前方から挿入でき、図５ｂによれば、係止エレメント５５を連結エレメント１の上部分３内に横方向に挿入できる。
【００２７】
その後、本発明による連結エレメントを図２に示す位置から図３又は図４による最終的設置位置まで変化させることができる。中間区域の幾つかの係止エレメント１０が使用される限り、及びケーシング構成要素１５の対応するカウンタストッパに入れ込むことができる限り、全ユニットのうちの本発明による連結ユニットの長さ方向でも、良好なシーリング効果を以て許容差を十分に補償できる。
【図面の簡単な説明】
【図１】本発明による連結ユニットの個々の構成要素を示す分解側面図である。
【図２】連結ユニットの特定の実施例を予備取り付け位置で示す側面図である。
【図３】最終設置完了後の図２による特定の実施例を示す側面図である。
【図４】本発明による連結ユニットの中央区分の最終設置後の断面図である。
【図５】本発明による連結ユニットの二つの異なる用途を示す側面図である。
【符号の説明】
１  連結エレメント                ２  支持エレメント
３  上部分                        ４  下部分
５  中間区域                      ７  支持開口部
１０  係止エレメント              １２  接触部品
１４  ランド部                    １５  ケーシング構成要素
１７  ジャケット領域              １８  カウンタストッパ
１９  外側リブ                    ２０  シーリングエレメント
２２  フランジ                    ２７  周囲膨出部
２８  シーリングリップ            ３０  停止脚部
３２  円弧状の端部領域            ３５  ディスク領域
３６  ケーシング領域              ４０、４０'   カウンタストッパ
４２  シーリングプレート          ４５  端部リング
４７  内壁                        ４９  漏斗状の開口部
５０  リブ
【図１】
0003710645.tif 000002
【図２】
0003710645.tif 000003
【図３】
0003710645.tif 000004
【図４】
0003710645.tif 000005
【図５】
0003710645.tif 000006